(57)【要約】【課題】ユーザが容易に光ディスクメディアのレーベル面に印刷することができるようにすること。【解決手段】ネットワークから、タイトル情報を含む番組情報、および光ディスクのレーベル面に印刷可能な印刷データをダウンロードするためのアドレス情報を含む番組ガイド情報を取得するステップと（ステップＳ１０１）、前記番組ガイド情報に基づいてモニタに映像番組ガイドを表示するステップ（ステップＳ１０２）と、前記映像番組ガイドから選択された映像番組に対応する印刷データを前記アドレス情報に基づいてダウンロードするステップと(ステップＳ１１０)、前記ダウンロードされた印刷データを前記光ディスクのレーベル面に印刷するステップとを含む。【選択図】    図４
2006351149.tif 000002
【特許請求の範囲】
【請求項１】
ネットワークから、タイトル情報を含む番組情報、および光ディスクメディアのレーベル面に印刷可能な印刷データをダウンロードするためのアドレス情報を含む番組ガイド情報を取得するステップと、
前記番組ガイド情報に基づいてモニタに映像番組ガイドを表示するステップと、
前記映像番組ガイドから選択された映像番組に対応する印刷データを前記アドレス情報に基づいてダウンロードするステップと、
前記ダウンロードされた印刷データを前記光ディスクメディアのレーベル面に印刷するステップとを含むことを特徴とする光ディスクメディアのレーベル面の印刷方法。
【請求項２】
前記番組情報は、放映時間情報を含み、
前記選択された映像番組の前記放映時間情報を登録することによって、前記映像番組の録画の予約を行うステップと、
録画予約を行った映像番組に対応する印刷データの有無を表示するステップと、
当該印刷データのダウンロードの可否をユーザに確認するステップと、
前記登録された放映時間情報に基づいて前記映像番組を録画するステップとを更に含むことを特徴とする請求項１記載の光ディスクメディアのレーベル面の印刷方法。
【請求項３】
前記印刷は、前記光ディスクメディアの記録面に前記選択された映像番組に対応する動画データを記録した後に行われ、
前記ダウンロードした印刷データの有無、および当該印刷データを用いて印刷した場合の印刷イメージを表示するステップと、
印刷実行の可否をユーザに確認するステップとを更に含むことを特徴とする請求項１記載の光ディスクメディアのレーベル面の印刷方法。
【請求項４】
前記番組ガイド情報のうち少なくとも印刷データはインターネットに接続されたサーバから取得することを特徴とする請求項１記載の光ディスクメディアのレーベル面の印刷方法。
【請求項５】
光ディスクメディアの記録面に動画データの書き込み、および前記光ディスクメディアのレーベル面に印刷データの印刷を行う光ディスクドライブと、
ネットワークからタイトル情報を含む番組情報、および光ディスクメディアのレーベル面に印刷可能な印刷データをダウンロードするためのアドレス情報を含む番組ガイド情報を取得する情報取得部と、
前記番組ガイド情報に基づいてモニタに映像番組ガイドをモニタに表示するガイド表示部と、
前記映像番組ガイドから選択された映像番組に対応するアドレス情報に基づいて前記印刷データをダウンロードするダウンロード部と、
前記光ディスクドライブを用いて前記光ディスクメディアの記録面に前記映像番組に対応する動画データを書き込ませるための書き込み部と、
前記光ディスクドライブを用いて前記光ディスクメディアのレーベル面に前記ダウンロードされた印刷データを印刷するための印刷部とを具備することを特徴とする光ディスクメディアを用いた光ディスク録画装置。
【請求項６】
前記番組情報は、放映時間情報を含み、
前記選択された映像番組の前記放映時間情報を登録することによって、前記映像番組の録画の予約を行う録画予約部と、
録画予約を行った映像番組に対応する印刷データをネートワークからダウンロード可能か否かを判別する判別部と、
当該印刷データをダウンロードしたか否かの識別情報を記憶する記憶部と、
前記登録された放映時間情報に基づいて前記映像番組を録画して、前記動画データを生成する動画データ生成部とを更に具備してなることを特徴とする請求項５記載の光ディスク録画装置。
【請求項７】
前記動画データ生成部によって生成された動画データを記憶するためのハードディスクドライブを更に具備し、
前記情報取得部は、取得した番組ガイド情報を前記ハードディスクドライブに記憶し、
前記ダウンロード部は、ダウンロードした印刷データを前記ハードディスクドライブに記憶し、
前記書き込み部は、前記ハードディスクドライブに記憶された動画データを前記光ディスクドライブを用いて前記光ディスクメディアの記録面に書き込むことを特徴とする請求項６記載の光ディスク録画装置。
【請求項８】
映像番組に対応する番組情報を用意するステップであって、前記番組情報は前記映像番組のタイトル情報を有するステップと、
光ディスクメディアのレーベル面に印刷するための、前記映像番組に対応する印刷データを用意するステップと、
前記印刷データのダウンロードが可能なアドレス情報を用意するステップと、
前記番組情報および前記アドレス情報を有し、モニタに表示される映像番組ガイドを作成するための番組ガイド情報を作成するステップと、
前記番組ガイド情報を、前記映像番組ガイドを作成可能な録画装置、および前記印刷データに基づいて前記光ディスクメディアのレーベル面に印刷可能な印刷装置が前記ネットワークを介してダウンロード可能なサーバに格納するステップと
を含むことを特徴とする番組ガイド情報の作成方法。
【発明の詳細な説明】
【技術分野】
【０００１】
本発明は、映像番組の予約に用いられる番組ガイド情報の作成方法、番組ガイド情報を用いた光ディスクの記録方法、および光ディスク録画装置に関する。
【背景技術】
【０００２】
放送された映像番組を光ディスクに記録する光ディスク記録装置が普及し始めている。映像番組が書き込まれた光ディスクを管理するためには、光ディスクメディアのレーベル面に映像番組のタイトル等の情報を書き込む必要がある。
【０００３】
光ディスクメディアのレーベル面にタイトル等の情報を書き込む場合、手書きで行う、または光ディスクメディア印刷機能付きのプリンタを用いて行っている。
【０００４】
プリンタを用いて印刷するにはパーソナルコンピュータを所有していなければならない。パーソナルコンピュータを持っていなければ手書きで書かざるを得ないが、手書きで書くと、見栄えが悪い等の問題がある。
【０００５】
ところで、光ディスクメディアのレーベル面に特殊加工を施し、光ディスクドライブのピックアップレーザを用いてレーベル面に印刷を行う技術が存在する(特許文献１)。このレーベル面に印刷可能な光ディスクドライブを光ディスク記録装置に搭載すれば、パーソナルコンピュータおよびプリンタを所有していなくても、光ディスクメディアのレーベル面に印刷を行うことができるようになる。
【特許文献１】米国特許出願公開第２００３／０１０８７０８号明細書
【発明の開示】
【発明が解決しようとする課題】
【０００６】
ところが、光ディスクメディアのレーベル面に印刷可能な光ディスク録画装置は、製品化途上の段階であり、ユーザに対し光ディスクメディアのレーベル面に印刷するためのデータを、どのように用意するかは不明である。
【０００７】
キーボードを備えていない光ディスク録画装置の場合は、テキストの入力もしづらく、ユーザが印刷用のデータを準備するのは手間がかかる。そこで、ユーザが光ディスクメディアのレーベル面に印刷するためのデータを簡易に取得するための方法及び装置を提供することが望まれる。
【０００８】
本発明の目的は、光ディスクメディアのレーベル面に印刷するためのデータをユーザに提供し、ユーザが容易に光ディスクメディアのレーベル面に印刷することができる光ディスクメディアのレーベル面の印刷方法、光ディスク録画装置、および番組ガイド情報の作成方法を提供することにある。
【課題を解決するための手段】
【０００９】
本発明の一例に係わる光ディスクメディアのレーベル面の印刷方法は、ネットワークから、タイトル情報を含む番組情報、および光ディスクメディアのレーベル面に印刷可能な印刷データをダウンロードするためのアドレス情報を含む番組ガイド情報を取得するステップと、前記番組ガイド情報に基づいてモニタに映像番組ガイドを表示するステップと、前記映像番組ガイドから選択された映像番組に対応する印刷データを前記アドレス情報に基づいてダウンロードするステップと、前記ダウンロードされた印刷データを前記光ディスクメディアのレーベル面に印刷するステップとを含むことを特徴とする。
【発明の効果】
【００１０】
光ディスクメディアのレーベル面に印刷するためのデータをユーザに提供し、ユーザが容易に光ディスクメディアのレーベル面に印刷することができる。
【発明を実施するための最良の形態】
【００１１】
本発明の実施の形態を以下に図面を参照して説明する。
【００１２】
図１は、本発明の一実施形態に係わる映像番組をデジタル放送するための放送局側のシステムを示す図である。
【００１３】
先ず、映像、音声、およびデータのそれぞれが符号化部１１によって符号化される。符号化された各種信号は多重化部１２によって１個のデジタルデータに多重化される。多重化部１２では、情報の著作権を保護するためのコピープロテクション信号も多重される。多重化されたデジタルデータは、伝送路符号化部１３によって、デジタル衛星放送、地上波デジタル放送、ＣＡＴＶ等の各種伝送経路に適したフォーマットに符号化される。伝送路符号化部１３によって符号化されたデジタル信号が、デジタルテレビ信号として送信される。
【００１４】
図２に受信者側の受信システム、および受信システムに係わるサービスを提供するシステムを示す。
【００１５】
送信されたデジタルテレビ信号は、各家庭のアンテナで受信された後、テレビ２０を始め、近年急速に普及してきているハードディスク内蔵光ディスクレコーダ１００に送られる。またチューナ内蔵のパソコン３０においても受信可能である。ハードディスク内蔵光ディスクレコーダ１００、およびパソコン３０は、ハブ４０を介してインターネット回線５０に接続されている。ハードディスク内蔵光ディスクレコーダ１００は、インターネット回線５０を介してＥＰＧ（電子番組ガイド）サービスサーバ６０からテレビ番組情報（以下、ＥＰＧ情報という）をダウンロードし、テレビ番組の録画予約などの用途に使用することができる。また、本実施形態では、インターネット回線５０に光ディスクのレーベル面に印刷するための印刷データを格納した印刷データサーバ６１が接続されている。この印刷データサーバ６１は、ＥＰＧサービスサーバ６０と同一のものでも構わない。
【００１６】
本実施形態では、インターネット回線５０を通して提供されるテレビ番組情報をテレビに表示させ、その番組情報の中から、ハードディスク内蔵光ディスクレコーダ内のハードディスクドライブ１００に、光ディスクのレーベル面印刷情報を取込み、印刷を実施する例を示す。
【００１７】
また、パソコンに接続されたプリンタ３１は、光ディスクメディアのレーベル面に既存の印刷技術によって印刷可能である。
【００１８】
次に、図２で示したハードディスク内蔵光ディスクレコーダ１００の内部の構成について、図３を用いて説明する。
【００１９】
アンテナ７０で受信したデジタルテレビ放送の映像信号は、チューナ１０１に入力される。チューナ１０１からの出力は、受信した多重信号を復号する多重信号復号部１０３に供給される。多重信号復号部１０３は、復号した映像音声データをシステムコントローラ１０４に供給する。システムコントローラ１０４では、リモコン受信部１０６を経由してリモコン１２０の操作による外部からの命令に応じて処理が行われ、メモリ１０５への情報の書き込みや読み出し制御を行いながら、光ディスクドライブ（ＯＤＤ）１０９、ハードディスクドライブ（ＨＤＤ）１１０、デコーダ１１１との映像信号データの送受信を行う。
【００２０】
例えば、システムコントローラ１０４に導かれた映像音声データを、光ディスクドライブ１０９を用いて光ディスクメディアに記録する場合は、システムコントローラ１０４から映像音声データが光ディスクドライブ１０９に供給され、光ディスク媒体に情報を記録することができる。また、光ディスク媒体に記録された情報を、光ディスクドライブ１０９からシステムコントローラ１０４に供給することも可能である。
【００２１】
また、システムコントローラ１０４に供給された映像信号データを、ハードディスク１１０に記録する場合、映像音声データはシステムコントローラ１０４からハードディスクドライブ１１０に供給され、ハードディスクドライブ１１０に情報を記録することができると同時に、ハードディスクドライブ１１０に記録された情報を、システムコントローラ１０４に供給することも可能である。
【００２２】
システムコントローラ１０４からデコーダ１１１に供給された映像音声データは、テレビ２０に表示可能なようにデコードされ、出力される。
【００２３】
また、ハードディスク内蔵光ディスクレコーダ１００は、インターネットやパソコン３０との接続が可能であり、それらからの情報は、ランインターフェース（ＬＡＮ  Ｉ／Ｆ）１０７からの情報を処理部１０８でデータ変換してシステムコントローラ１０４で処理が可能なデータに変換された後、システムコントローラ１０４に導かれる。インターネット回線５０を介した情報の中には、光ディスクレーベル面への印刷可能な情報を含むＥＰＧ情報が含まれている。
【００２４】
光ディスクドライブ１０９は、レーベル面にピックアップレーザに反応する特殊加工が施された専用光ディスクメディアのレーベル面を下にしてトレイに載せることによって、レーベル面に印刷を行うことができる。
【００２５】
［１．予約処理］
ＥＰＧを用いてテレビ番組の録画予約を行うときに光ディスクメディアのレーベル面に印刷するための印刷データをダウンロードする手順を図４を参照して説明する。
【００２６】
先ず、ユーザがリモコン１２０を用いてＥＰＧ画面を表示するようハードディスク内蔵光ディスクレコーダに指示する。システムコントローラ１０４は、処理部１０８にＥＰＧデータをダウンロードし、処理可能なデータに変換してシステムコントローラ１０４に供給するように指示する。処理部１０８は、システムコントローラ１０４からの指示に従って、インターネット回線５０を介して、ＥＰＧサービスサーバ６０からＥＰＧデータをダウンロードする（ステップＳ１０１）。処理部１０８は、ＥＰＧデータをダウンロードすると、システムコントローラ１０４で処理可能なデータに変換し、変換されたデータをシステムコントローラ１０４に供給する。
【００２７】
システムコントローラ１０４は、供給されたデータを用いてテレビ２０に表示するためのＥＰＧ表示信号を生成する(ステップＳ１０２)。生成されたＥＰＧ表示信号はテレビに供給され、テレビ２０には図５に示すＥＰＧ画面が表示される。この時、ＥＰＧ表示信号はデコーダ１１１をスルーして、テレビ２０に供給される。図５に示すように、ＥＰＧ画面には、番組表内に設けられた予約ボタンＲが設けられている。リモコン１２０の操作によってポインタＰが画面内を移動する。リモコン１２０を操作して予約ボタンＲ上にポインタＰを移動させ、リモコン１２０に設けられた決定ボタンを操作することによって、予約処理が開始される。また、図５に示すようにＥＰＧ画面内にはダウンロードアイコンＤＬが設けられている。ダウンロードアイコンＤＬは、光ディスクメディアのレーベル面に印刷するためのデータがダウンロード可能であることを示す。なお、後述するように、印刷データをダウンロード可能な番組を予約した場合、ダウンロード処理を行う否かをユーザが選択するためのプロセスを自動的に提供する。
【００２８】
システムコントローラ１０４は、ユーザがリモコン１２０の決定ボタンを操作するまで待機する(ステップＳ１０３)。待機時、システムコントローラ１０４は、ポインタＰの位置を認識する。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ１０３のＹｅｓ)。
【００２９】
システムコントローラ１０４は、割り込み通知時のＥＰＧ画面上のポインタＰの位置を判定する。判定の結果、予約ボタンＲ上にポインタＰが位置した状態で無い場合、システムコントローラ１０４は待機する(ステップＳ１０４のＮｏ)。判定の結果、予約ボタンＲ上にポインタＰが位置した状態でリモコン１２０の決定ボタンが押されると(ステップＳ１０４のＹｅｓ)、システムコントローラ１０４は、番組の予約を行って良いか確認するためのウィンドウを表示する(ステップＳ１０５)。例えば、図６に示すように、番組６の予約ボタンＲ６上にポインタＰが位置した状態でリモコン１２０の決定ボタンが操作された場合、図７に示すように、ＥＰＧ画面上に予約ボタンＲ１に対応する番組の予約を行って良いか確認するためのウィンドウＷ１を表示する。ウィンドウＷ１内には「X月Y日の22時からの番組６の録画予約の設定を行って宜しいでしょうか？」というメッセージが表示されると共に、ＹｅｓボタンＢ１とＮｏボタンＢ２とが配置されている。ユーザがリモコン１２０のカーソルボタンを操作することによって、ＹｅｓボタンＢ１とＮｏボタンＢ２との何れかが選択される。ユーザがリモコン１２０の決定ボタンを操作することによって、選択されたボタンに応じた処理が行われる。
【００３０】
システムコントローラ１０４は、ユーザがリモコン１２０の決定ボタンを操作するまで待機する(ステップＳ１０６)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ１０６のＹｅｓ)。システムコントローラ１０４は、ＥＰＧ画面上のＹｅｓボタンＢ１、ＮｏボタンＢ２のどちらが選択された状態でリモコン１２０の決定ボタンが操作されたかを判定する。ＮｏボタンＢ２が選択されていた場合(ステップＳ１０７のＮｏ)、システムコントローラ１０４は、ウィンドウＷ１を閉じ、元のＥＰＧ画面を表示する(ステップＳ１０２)。
【００３１】
判定の結果、ＹｅｓボタンＢ１が選択されていた場合(ステップＳ１０７のＹｅｓ)、システムコントローラ１０４は、メモリ１０５に番組６の予約設定を記憶させ、番組６の録画予約設定を行う(ステップＳ１０８)。録画予約の設定には、ＥＰＧデータに含まれていた全サムネール画像データのアドレス、および全印刷データのアドレスを含ませる。
【００３２】
［１．１印刷データダウンロード処理］
次ぎに、システムコントローラ１０４は、ＥＰＧデータを参照して光ディスクメディアのレーベル面に印刷するための印刷データをダウンロードすることが可能か確認する。印刷データをダウンロードすることが出来ない場合(ステップＳ１０９のＮｏ)、システムコントローラ１０４は予約設定を終了する(ステップＳ１３０)。
【００３３】
印刷データをダウンロードすることができる場合(ステップＳ１０９のＹｅｓ)、システムコントローラ１０４は、図８に示すように、ユーザが印刷データをダウンロードしたいか確認するためのウィンドウＷ２をＥＰＧ画面内に表示させる(ステップＳ１１０)。ウィンドウＷ２内には「レーベル面の印刷用データがダウンロード可能です。ダウンロードしますか？」というメッセージが表示されると共に、ＹｅｓボタンＢ３とＮｏボタンＢ４とが配置されている。ユーザがリモコン１２０のカーソルボタンを操作することによって、ＹｅｓボタンＢ３とＮｏボタンＢ４との何れかが選択される。ユーザがリモコン１２０の決定ボタンを操作することによって、選択されたボタンに応じた処理が行われる。
【００３４】
システムコントローラ１０４は、ユーザがリモコン１２０の決定ボタンを操作するまで待機する(ステップＳ１１１)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ１１１のＹｅｓ)。システムコントローラ１０４は、ＥＰＧ画面上のＹｅｓボタンＢ３、ＮｏボタンＢ４のどちらが選択された状態でリモコン１２０の決定ボタンが操作されたかを判定する。ＮｏボタンＢ４が選択されていた場合(ステップＳ１１２のＮｏ)、システムコントローラ１０４は、予約設定を終了する(ステップＳ１３０)。
【００３５】
ＹｅｓボタンＢ３が選択されていた場合(ステップＳ１１２のＹｅｓ)、システムコントローラ１０４は、処理部１０８に印刷データサーバ６１から印刷データのサムネール画像データをダウンロードするよう指令する。処理部１０８は、全サムネール画像をダウンロードする(ステップＳ１１３)。サムネール画像データのアドレスは、ＥＰＧデータに埋めこまれている。
【００３６】
ここでダウンロードされる印刷データは、ＢＭＰやＪＰＥＧなどの画像ファイル形式である。テキスト情報のみの内容であっても、それを画像ファイルに変換して、印刷データとして提供されている。
【００３７】
現行のテレビ信号から提供されるＥＰＧでは、多重可能な情報量に限界がある。一方、前述したインターネット回線を介したＥＰＧの場合、より多くのデータを転送することが可能である。よって、本発明においてはレーベル印刷用のデータとして、画像ファイルを取り扱う関係上、インターネット回線を介したＥＰＧを利用するのがより現実的である。同時に、配信可能な光ディスクレーベル印刷用データの絵柄などの種類を増やすことも可能であり、ユーザの選択肢を広げることができる。
【００３８】
但し、放送ネットワークからテレビ信号に重畳されて受信可能なＥＰＧ情報に、タイトル情報を含む番組情報、および印刷データをインターネット回線を介してダウンロードするためのアドレス情報を含むようにし、多くの情報量を必要とする印刷データは、そのアドレス情報を用いてインターネット回線に接続されたサーバから取得するようにしてもよい。更に、印刷データのアドレス情報を、映像番組の動画データに付随する関連データの一つとして動画データと共に光ディスクに記録すれば、インターネット回線に接続できない光ディスクレコーダで録画した場合でも、その光ディスクをインターネット回線へ接続可能な他の光ディスクレコーダやパソコンで読み出すことにより、録画予約時に取得したアドレス情報を用いてレーベル印刷用の印刷データを所得することができる。
【００３９】
次に、全サムネール画像データがダウンロードされると、システムコントローラ１０４は、図９に示すように、ダウンロードする画像をユーザに選択させるためのＥＰＧ画面内に選択ウィンドウＷ３を表示させる(ステップＳ１１４)。図９に示すように、ウィンドウＷ３内には、サムネール画像Ａ〜Ｆが表示されている。ユーザがリモコン１２０を操作することによって、サムネール画像Ａ〜Ｆの何れかが選択される。選択されているサムネール画像は明るく表示され、非選択のサムネール画像は暗く表示される。
【００４０】
システムコントローラ１０４は、ユーザがリモコン１２０の決定ボタンを操作するまで待機する(ステップＳ１１５)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ１１５のＹｅｓ)。
【００４１】
割り込み通知されると、システムコントローラ１０４は、選択されていたサムネール画像を判定する（ステップＳ１１６）。そして、システムコントローラ１０４は、図１０に示すように判定されたサムネール画像に対応する印刷データをダウンロードして良いか確認するためのウィンドウＷ４をＥＰＧ画面内に表示する(ステップＳ１１７)。ウィンドウＷ４内にはサムネール画像を拡大して編集することによって得られた印刷後のイメージＩ１、ＹｅｓボタンＢ５とＮｏボタンＢ６とが配置されている。ユーザがリモコン１２０のカーソルボタンを操作することによって、ＹｅｓボタンＢ５とＮｏボタンＢ６との何れかが選択される。ユーザがリモコン１２０の決定ボタンを操作することによって、選択されたボタンに応じた処理が行われる。
【００４２】
システムコントローラ１０４は、ユーザがリモコン１２０の決定ボタンを操作するまで待機する(ステップＳ１１８)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ１１８のＹｅｓ)。システムコントローラ１０４は、ＹｅｓボタンＢ５、ＮｏボタンＢ６のどちらが選択された状態でリモコン１２０の決定ボタンが操作されたかを判定する。ＮｏボタンＢ６が選択されていた場合(ステップＳ１１９のＮｏ)、システムコントローラ１０４は、ダウンロードする画像をユーザに選択させるためのＥＰＧ画面内に選択ウィンドウＷ３を再度表示させる(ステップＳ１１４)。
【００４３】
ＹｅｓボタンＢ５が選択されていた場合(ステップＳ１１９のＹｅｓ)、システムコントローラ１０４は、処理部１０８に印刷データサーバ６１から印刷データをダウンロードするよう指令する。印刷データのダウンロード時、システムコントローラ１０４は、図１１に示すように、印刷データのダウンロードの進行状況をユーザに知らせるためのウィンドウＷ５をＥＰＧ画面内に表示させる。印刷データのアドレスは、ＥＰＧデータに埋めこまれている。印刷データがダウンロードされると、システムコントローラ１０４は、印刷データをハードディスクドライブ１１０に格納する(ステップＳ１２０)。保存時、ステップＳ１０８でメモリ１０５に格納された予約設定に印刷データダウンロード済みという情報を付加しても良い。印刷データの保存が終了すると、システムコントローラ１０４は予約設定処理を終了する(ステップＳ１３０)。
【００４４】
上述したように、予約設定の処理を行うことによって、印刷データがダウンロード可能な場合に、印刷データをダウンロードできることをユーザに知らせることができる。そして、ユーザが望んだ場合に、印刷データをダウンロードすることができる。後に、印刷データをダウンロードしたい場合、印刷データをダウンロードするためのアドレスが不明で、印刷データをダウンロードするのに時間がかかる。本実施形態のように、予約設定時にダウンロードする、後でダウンロードするときに比べてユーザの手間がはるかに減る。また、予約設定にＥＰＧデータに含まれていた全サムネール画像データのアドレス、および全印刷データのアドレスを含ませることによって、録画後に作成されるデータベースファイルにアドレスを登録することで、後に容易に印刷データをダウンロードすることが出来る。
【００４５】
[２．録画処理］
次に録画時の動作について説明する。予約録画時、光ディスクメディアに録画することもできるが、通常ハードディスクドライブ１１０に録画データを保存することが多い。ハードディスクドライブ１１０に録画データを保存した場合、録画日時、タイトル等がハードディスクドライブ１１０内のデータベースファイルに登録される。予約時に印刷データをダウンロードして保存した場合、データベースファイルに印刷データが保存されていることをデータベースに登録する。データベースファイルに印刷データの有無が登録されていると、ハードディスクドライブ１１０に保存された録画データを光ディスクメディアに保存する場合、システムコントローラ１０４がデータベースファイルを参照し印刷データがハードディスクドライブ１１０内に保存されていることが分かり、ユーザに光ディスクメディアのレーベル面に印刷することを促すことができる。また、印刷データのダウンロードが可能な場合、印刷データのダウンロード済み、印刷データの未ダウンロードに係わらず、予約設定に含まれていた全印刷データのアドレス、および印刷データに対応する全サムネール画像データのアドレスデータベースファイルに登録する。データベースファイルに登録しておくことで、印刷データをダウンロードしなかった場合、ダウンロードされた印刷データと異なる印刷データをダウンロードしたい場合に、容易に印刷データをダウンロードすることが出来る。
【００４６】
［３．光ディスクメディアへの書き込み処理］
次に、ハードディスクドライブ１１０内に保存された録画データを光ディスクドライブ１０９に保存する場合の処理について図１２および図１３を参照して説明する。以下の処理はＥＰＧを用いて録画の予約がなされ、データベースファイルに印刷データ、および印刷データに対応するサムネール画像データのアドレスが登録されている場合である。
【００４７】
ユーザがリモコン１２０の操作によってハードディスク内蔵光ディスクレコーダにハードディスクドライブ１１０に保存された録画データを光ディスクドライブ１０９によって光ディスクメディアに書き込むことを指示する。書き込みが指示されるとシステムコントローラ１０４は、光ディスクドライブ１０９内に光ディスクメディアが挿入されているか判定する。光ディスクメディアが光ディスクドライブ１０９内に挿入されていない場合、光ディスクドライブ１０９のトレイを吐出し、レーベル面を上にした状態で光ディスクメディアのトレイに光ディスクメディアを載置することを促すメッセージをテレビ２０の画面に表示する。
【００４８】
システムコントローラ１０４は、ハードディスクドライブ１１０内のデータベースファイルを参照して、光ディスクメディアに書き込む録画データに対応する印刷データがハードディスクドライブ１１０内に保存されているか確認する(ステップＳ２０１)。
【００４９】
ハードディスクドライブ内に印刷データが保存されている場合(ステップＳ２０１のＹｅｓ)、システムコントローラ１０４は、光ディスクドライブ１０９内の光ディスクメディアの情報を読み込み、レーベル面が光ディスクドライブ１０９によって印刷可能な種類であるか判定する(ステップＳ２０２)。
【００５０】
光ディスクメディアのレーベル面が印刷可能な種類の場合(ステップＳ２０２のＹｅｓ)、光ディスクメディア（ＯＤＭ）に録画データを書き込むための処理を開始する(ステップＳ２０４)。なお、録画データが保護されている場合、光ディスクメディアに書き込んだ後に、ハードディスクドライブ１１０内に保存されていた録画データを消去する。
【００５１】
光ディスクメディアのレーベル面が印刷可能な種類では無い場合(ステップＳ２０２のＮｏ)、システムコントローラ１０４は、ユーザに光ディスクドライブ１０９に書き込まれている光ディスクメディアに録画データを書き込んでよいか確認する(ステップＳ２０３)。ここで、ユーザが光ディスクドライブ１０９に挿入されているディスクメディアに書き込んで良いことを選択した場合、光ディスクメディアに録画データを書き込むための処理を行う(ステップＳ２０４)。ユーザが光ディスクドライブ１０９に挿入されている光ディスクメディアに録画データを書き込むことを選択しなかった場合、光ディスクメディアが載置されているトレイを吐出し、光ディスクドライブ１０９で印刷可能な光ディスクメディアが挿入されてから、光ディスクメディアに録画データを書き込むための処理を行う(ステップＳ２０４)。
【００５２】
[３．１印刷処理］
書き込みが終了した場合（ステップＳ２０５のＹｅｓ）、システムコントローラ１０４は、光ディスクドライブ１０９内の光ディスクメディアの情報を読み込み、レーベル面が光ディスクドライブ１０９によって印刷可能な種類であるか判定する(ステップＳ２０６)。光ディスクドライブ１０９内に挿入されている光ディスクメディアが印刷可能な種類ではない場合(ステップＳ２０６のＮｏ)、システムコントローラ１０４は書き込み処理を終了する。
【００５３】
光ディスクドライブ１０９内に挿入されている光ディスクメディアが印刷可能な種類である場合(ステップＳ２０６のＹｅｓ)、システムコントローラ１０４は、ハードディスクドライブ１１０内のデータベースファイルを参照して、光ディスクメディアに書き込む録画データに対応する印刷データがハードディスクドライブ１１０内に保存されているか確認する(ステップＳ２０７)。
【００５４】
[３．１．１印刷データが保存されている場合の印刷処理］
ハードディスクドライブ１１０内に印刷データが保存されている場合（ステップＳ２０７のＹｅｓ）、図１４に示すように、ハードディスクドライブ１１０に保存されている印刷データＩ１をウィンドウＷ６内に表示すると共に、保存されている印刷データを用いて光ディスクメディアのレーベル面に印刷を行って良いかを確認するためのＹｅｓボタンＢ７およびＮｏボタンＢ８を表示する(ステップＳ２０８)。ユーザがリモコン１２０のカーソルボタンを操作することによって、ＹｅｓボタンＢ７とＮｏボタンＢ８との何れかが選択される。ユーザがリモコン１２０の決定ボタンを操作することによって、選択されたボタンに応じた処理が行われる。
【００５５】
システムコントローラ１０４は、ユーザがリモコン１２０の決定ボタンを操作するまで待機する(ステップＳ２０９)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ２０９のＹｅｓ)。システムコントローラ１０４は、ＹｅｓボタンＢ７、ＮｏボタンＢ８のどちらが選択された状態でリモコン１２０の決定ボタンが操作されたかを判定する。ＮｏボタンＢ８が選択されていた場合(ステップＳ２１０のＮｏ)、システムコントローラ１０４は、書き込み処理を終了する。
【００５６】
なお、書き込み処理を終了させるのではなく、印刷データサーバ６１から他の印刷データがダウンロードすることが可能か確認してもよい。その後、ダウンロード可能な場合には、他の印刷データが有ることをユーザに知らせ、他の印刷データを表示させるかユーザの意思を確認する。ユーザが印刷データを見たい場合、サムネール画像データを印刷データサーバ６１からダウンロードし、ダウンロードされたサムネール画像を表示する。そして、表示されたサムネール画像の中に印刷したいものがあるか、ユーザに確認する。
【００５７】
ＹｅｓボタンＢ７が選択されていた場合(ステップＳ２１０のＹｅｓ)、システムコントローラ１０４は、光ディスクドライブ１０９のトレイを吐出し、図１５に示すようにユーザに光ディスクメディアを反転させるためのメッセージをテレビ２０のウィンドウＷ７に表示させる（ステップＳ２１１）。
【００５８】
システムコントローラ１０４は、光ディスクドライブ１０９のトレイが閉じられるまで待機する（ステップＳ２１２）。光ディスクドライブ１０９のトレイが閉じられると、光ディスクドライブ１０９はトレイが閉じたことをシステムコントローラ１０４に割り込み通知する(ステップＳ２１２のＹｅｓ)。
【００５９】
光ディスクドライブ１０９のトレイが閉じられると、システムコントローラ１０４は、光ディスクドライブ１０９のレーザ照射部が、光ディスクメディアのレーベル面と対向し、光ディスクメディアに印刷可能な状態であるか判定する（ステップＳ２１３）。印刷可能な状態ではない場合（ステップＳ２１３のＮｏ）、ステップＳ２１１に戻って、トレイを吐出し、光ディスクメディアを反転させるようユーザに促す。
【００６０】
システムコントローラ１０４が光ディスクメディアが印刷可能な状態であると判定した場合（ステップＳ２１３のＹｅｓ）、システムコントローラ１０４はハードディスクドライブ１１０に保存された印刷データを用いて光ディスクドライブ１０９内の光ディスクメディアのレーベル面に印刷を行う処理を開始する（ステップＳ２１４）。印刷中、図１６に示すように、印刷の進行状況をユーザに知らせるためのウィンドウＷ８をテレビ２０の画面に表示させる。
【００６１】
光ディスクメディアのレーベル面への印刷が終了した場合（ステップＳ２１５のＹｅｓ）、システムコントローラ１０４は、光ディスクメディアが載置されているトレイを吐出する（ステップＳ２１６）。なお、ここではトレイを吐出する代わりに、モニタにレーベル面への印刷が終了した旨を表示してもよい。
【００６２】
[３．１．２印刷データが保存されていない場合の印刷処理］
次ぎに、ステップＳ２０７で印刷データがハードディスクドライブ１１０内に保存されていないと判断された場合（ステップＳ２０７のＮｏ）について説明する。
【００６３】
ハードディスクドライブ１１０内に印刷データが保存されていない場合（ステップＳ２０７のＮｏ）、システムコントローラ１０４は処理部１０８に印刷データサーバ６１にアクセスし、ダウンロード可能な印刷データが有るか確認するよう指示する。処理部１０８は、印刷データサーバ６１にアクセスしてダウンロード可能な印刷データがあるか確認し、結果をシステムコントローラ１０４に通知する。
【００６４】
印刷データサーバ６１にダウンロード可能な印刷データが無い場合（ステップＳ２２０のＮｏ）、書き込み処理を終了する。
【００６５】
・（予約時に印刷データをダウンロードしなかった場合の印刷処理）
印刷データをダウンロードすることができる場合(ステップＳ２２０のＹｅｓ)、システムコントローラ１０４は、図１７に示すようにユーザが印刷データをダウンロードしたいか確認するためのウィンドウＷ９をＥＰＧ画面内に表示させる(ステップＳ２２１)。ウィンドウＷ９内には「レーベル面の印刷用データがダウンロード可能です。ダウンロードしますか？」というメッセージが表示されると共に、ＹｅｓボタンＢ９とＮｏボタンＢ１０とが配置されている。ユーザがリモコン１２０のカーソルボタンを操作することによって、ＹｅｓボタンＢ９とＮｏボタンＢ１０との何れかが選択される。ユーザがリモコン１２０の決定ボタンを操作することによって、選択されたボタンに応じた処理が行われる。
【００６６】
システムコントローラ１０４は、ユーザがリモコン１２０の決定ボタンを操作するまで待機する(ステップＳ２２２)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ２２２のＹｅｓ)。システムコントローラ１０４は、ＹｅｓボタンＢ９、ＮｏボタンＢ１０のどちらが選択された状態でリモコン１２０の決定ボタンが操作されたかを判定する。ＮｏボタンＢ１０が選択されていた場合(ステップＳ２２３のＮｏ)、システムコントローラ１０４は、書き込み処理を終了する。
【００６７】
ＹｅｓボタンＢ９が選択されていた場合(ステップＳ２２３のＹｅｓ)、システムコントローラ１０４は、システムコントローラ１０４は処理部１０８に印刷データサーバ６１から印刷データのサムネール画像データをダウンロードするよう指令する。処理部１０８は、全サムネール画像をダウンロードする(ステップＳ２２４)。サムネール画像データのアドレスは、ＥＰＧデータに埋めこまれている。
【００６８】
全サムネール画像データがダウンロードされると、システムコントローラ１０４は、図１８に示すように、ダウンロードする画像をユーザに選択させるためのＥＰＧ画面内に選択ウィンドウＷ１０を表示させる(ステップＳ２２５)。図１８に示すように、ウィンドウＷ１０内には、サムネール画像Ａ〜Ｆが表示されている。ユーザがリモコン１２０を操作することによって、サムネール画像Ａ〜Ｆの何れかが選択される。選択されているサムネール画像は明るく表示され、非選択のサムネール画像は暗く表示される。
【００６９】
システムコントローラ１０４は、ユーザがリモコン１２０の決定ボタンを操作するまで待機する(ステップＳ２２６)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ２２６のＹｅｓ)。システムコントローラ１０４は、選択されていたサムネール画像を認識する（ステップＳ２２７）。システムコントローラ１０４は、図１９に示すように、選択された画像をダウンロードして良いかユーザに確認するためのウィンドウＷ１１をＥＰＧ画面内に表示する(ステップＳ２２８)。ウィンドウＷ１１内にはサムネール画像を拡大して編集することによって得られた印刷後のイメージＩ１、ＹｅｓボタンＢ１１とＮｏボタンＢ１２とが配置されている。
【００７０】
システムコントローラ１０４は、ユーザがリモコン１２０の決定ボタンを操作するまで待機する(ステップＳ２２９)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ２２９のＹｅｓ)。システムコントローラ１０４は、ＹｅｓボタンＢ１１、ＮｏボタンＢ１２のどちらが選択された状態でリモコン１２０の決定ボタンが操作されたかを判定する。ＮｏボタンＢ１２が選択されていた場合(ステップＳ２３０のＮｏ)、システムコントローラ１０４は、ダウンロードする画像をユーザに選択させるための画面内に選択ウィンドウＷ９を再度表示させる(ステップＳ２２５)。
【００７１】
ＹｅｓボタンＢ１１が選択されていた場合(ステップＳ２３０のＹｅｓ)、システムコントローラ１０４は、処理部１０８に印刷データサーバ６１から印刷データをダウンロードするよう指令する。印刷データのダウンロード時、システムコントローラ１０４は、図２０に示すように印刷データのダウンロードの進行状況をユーザに知らせるためのウィンドウＷ１１を画面内に表示させる。印刷データがダウンロードされると、システムコントローラ１０４は、印刷データをハードディスクドライブ１１０に格納する(ステップＳ２３１)。
【００７２】
保存後、前述したステップＳ２０８〜Ｓ２１６を行うことによって、書き込み処理が終了する。
【００７３】
上述した処理によって、光ディスクメディアへの録画データの書込、および印刷の処理が一連の流れで行うことができ、ユーザがダウンロードした印刷データを用いて光ディスクメディアのレーベル面に容易に印刷することができる。
【００７４】
［４．印刷データのアドレスが分からない場合の印刷処理］
なお、光ディスクメディアへの録画データの書き込み時に印刷を行わずに、光ディスクメディアのレーベル面に印刷を行う場合の処理について図２１および図２２を参照して説明する。
【００７５】
ユーザがリモコン１２０の操作によって、光ディスクメディアのレーベル面への印刷を指示する。
【００７６】
システムコントローラ１０４は、光ディスクメディアに書き込まれている録画データの放映日時を含むＥＰＧ画面を表示させるために、テレビ２０の画面に検索画面を表示する（ステップＳ３０１）。
【００７７】
ユーザがリモコン１２０を用いて放映日時等の検索値を入力すると、システムコントローラ１０４は、処理部１０８にＥＰＧデータをダウンロードし、処理可能なデータに変換してシステムコントローラ１０４に供給するように指示する。処理部１０８は、システムコントローラ１０４からの指示に従って、インターネット回線５０を介して、ＥＰＧサービスサーバ６０からＥＰＧデータをダウンロードする（ステップＳ３０２）。処理部１０８は、ＥＰＧデータをダウンロードすると、システムコントローラ１０４で処理可能なデータに変換し、変換されたデータをシステムコントローラ１０４に供給する。
【００７８】
システムコントローラ１０４は、供給されたデータを用いてテレビ２０に表示するためのＥＰＧ表示信号を生成する(ステップＳ３０３)。生成されたＥＰＧ表示信号はテレビに供給され、テレビ２０には図２３に示すＥＰＧ画面が表示される。この時、ＥＰＧ表示信号はデコーダ１１１をスルーして、テレビ２０に供給される。図２３に示すように、印刷データがダウンロード可能な番組には、ダウンロードボタンＢDLが表示されている。表示されているＥＰＧ画面は過去のものなので予約ボタンが表示されていない。
【００７９】
システムコントローラ１０４は、ユーザがリモコン１２０の決定ボタンを操作するまで待機する(ステップＳ３０４)。待機時、システムコントローラ１０４は、ポインタＰの位置を認識する。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ３０４のＹｅｓ)。
【００８０】
システムコントローラ１０４は、割り込み通知時のＥＰＧ画面上のポインタＰの位置を判定する。判定の結果、ダウンロードボタン（ＤＬボタン）ＢDL上にポインタＰが位置した状態で無い場合、システムコントローラ１０４は待機する(ステップＳ３０５のＮｏ)。図２４に示すように、ダウンロードボタンＢDL上にポインタＰが位置した状態でリモコン１２０の決定ボタンが押されると(ステップＳ３０５のＹｅｓ)、システムコントローラ１０４は処理部１０８に、ＥＰＧデータに埋めこまれているサムネール画像データの全アドレスにアクセスし、全サムネール画像データをダウンロードするように指令する。処理部１０８は、全サムネール画像をダウンロードする(ステップＳ３０６)。
【００８１】
全サムネール画像データがダウンロードされると、システムコントローラ１０４は、図２５に示すように、ダウンロードする画像をユーザに選択させるためのＥＰＧ画面内に選択ウィンドウＷ１３を表示させる(ステップＳ３０７)。図２５に示すように、ウィンドウＷ１３内には、サムネール画像Ａ〜Ｆが表示されている。ユーザがリモコン１２０を操作することによって、サムネール画像Ａ〜Ｆの何れかが選択される。選択されているサムネール画像は明るく表示され、非選択のサムネール画像は暗く表示される。
【００８２】
システムコントローラ１０４は、ユーザがリモコン１２０の決定ボタンを操作するまで待機する(ステップＳ３０８)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ３０８のＹｅｓ)。
【００８３】
割り込み通知されると、システムコントローラ１０４は、選択されていたサムネール画像を判定する（ステップＳ３０９）。そして、システムコントローラ１０４は、図２６に示すように、判定されたサムネール画像に対応する印刷データをダウンロードして良いかユーザに確認するためのウィンドウＷ１４をＥＰＧ画面内に表示する(ステップＳ３１０)。ウィンドウＷ１４内にはサムネール画像を拡大して編集することによって得られた印刷後のイメージＩ１、ＹｅｓボタンＢ１３とＮｏボタンＢ１４とが配置されている。ユーザがリモコン１２０のカーソルボタンを操作することによって、ＹｅｓボタンＢ１３とＮｏボタンＢ１３との何れかが選択される。ユーザがリモコン１２０の決定ボタンを操作することによって、選択されたボタンに応じた処理が行われる。
【００８４】
システムコントローラ１０４は、ユーザがリモコン１２０の決定ボタンを操作するまで待機する(ステップＳ３１１)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ３１１のＹｅｓ)。システムコントローラ１０４は、ＹｅｓボタンＢ１３、ＮｏボタンＢ１４のどちらが選択された状態でリモコン１２０の決定ボタンが操作されたかを判定する。ＮｏボタンＢ１４が選択されていた場合(ステップＳ３１２のＮｏ)、システムコントローラ１０４は、ダウンロードする画像をユーザに選択させるためのＥＰＧ画面内に選択ウィンドウＷ１２を再度表示させる(ステップＳ３０７)。
【００８５】
ＹｅｓボタンＢ１３が選択されていた場合(ステップＳ３１２のＹｅｓ)、システムコントローラ１０４は、処理部１０８に印刷データサーバ６１から印刷データをダウンロードするよう指令する。印刷データのダウンロード時、システムコントローラ１０４は、図２７に示すように印刷データのダウンロードの進行状況をユーザに知らせるためのウィンドウＷ１５をＥＰＧ画面内に表示させる。印刷データのアドレスは、ＥＰＧデータに埋めこまれている。印刷データがダウンロードされると、システムコントローラ１０４は、印刷データをハードディスクドライブ１１０に格納する(ステップＳ３１３)。
【００８６】
ダウンロードが終わると、システムコントローラ１０４は、図２８に示すように、ダウンロードされた画像を用いて印刷を行って良いかかユーザに確認するためのウィンドウＷ１６をＥＰＧ画面内に表示する。ウィンドウＷ１６内には、ダウンロードされた画像を用いて光ディスクメディアに印刷を行った場合のイメージＩDLと、ＹｅｓボタンＢ１５とＮｏボタンＢ１６とが配置されている。ユーザがリモコン１２０のカーソルボタンを操作することによって、ＹｅｓボタンＢ１５とＮｏボタンＢ１６との何れかが選択される。ユーザがリモコン１２０の決定ボタンを操作することによって、選択されたボタンに応じた処理が行われる。
【００８７】
システムコントローラ１０４は、ユーザがリモコン１２０の決定ボタンを操作するまで待機する(ステップＳ３１５)。ユーザがリモコン１２０の決定ボタンを操作すると、リモコン１２０は決定ボタン操作信号を発信する。リモコン受信部１０６が決定ボタン操作信号を受信すると、決定ボタンが操作されたことをシステムコントローラ１０４に割り込み通知する(ステップＳ３１５のＹｅｓ)。システムコントローラ１０４は、ＥＰＧ画面上のＹｅｓボタンＢ１５、ＮｏボタンＢ１６のどちらが選択された状態でリモコン１２０の決定ボタンが操作されたかを判定する。ＮｏボタンＢ１６が選択されていた場合(ステップＳ３１６のＮｏ)、システムコントローラ１０４は、ステップＳ３０６に戻って、ダウンロードする画像を選択するためのウィンドウＷ１３を表示する。
【００８８】
ＹｅｓボタンＢ１５が選択されていた場合(ステップＳ３１６のＹｅｓ)、システムコントローラ１０４は、光ディスクドライブ１０９内に光ディスクメディアが挿入されているか判定する(ステップＳ３１７)。光ディスクドライブ１０９内に光ディスクメディアが挿入されていない場合（ステップＳ３１７のＮｏ）、システムコントローラ１０４はトレイを吐出し、トレイ上に光ディスクメディアを載置することを促すメッセージをテレビ２０の画面に表示する。
【００８９】
光ディスクドライブ１０９のトレイが閉じられるまでシステムコントローラ１０４は待機する（ステップＳ３１９）。光ディスクドライブ１０９のトレイが閉じられると、光ディスクドライブ１０９はシステムコントローラ１０４にトレイが閉じたことを割り込み通知する。トレイが閉じられた場合（ステップＳ３１９のＹｅｓ）、ステップＳ３１７に戻り、光ディスクドライブ１０９内に光ディスクメディアが挿入されているか確認する。
【００９０】
光ディスクドライブ１０９内に光ディスクメディアが挿入されている場合（ステップＳ３１７のＹｅｓ）、システムコントローラ１０４は、光ディスクドライブ１０９のレーザ照射面が、光ディスクメディアのレーベル面が対向し、光ディスクメディアに印刷可能な状態であるか判定する（ステップＳ３２０）。印刷可能な状態ではない場合（ステップＳ３２０のＮｏ）、システムコントローラ１０４は、光ディスクドライブ１０９のトレイを吐出し、図２９に示すように、ユーザに光ディスクメディアを反転させるためのメッセージをテレビ２０のウィンドウＷ１７に表示させる（ステップＳ３２２）。
【００９１】
システムコントローラ１０４は、光ディスクドライブ１０９のトレイが閉じられるまで待機する（ステップＳ３２３）。光ディスクドライブ１０９のトレイが閉じられると、光ディスクドライブ１０９はトレイが閉じたことをシステムコントローラ１０４に割り込み通知する(ステップＳ３２３のＹｅｓ)。トレイが閉じられると、ステップＳ３１７に戻って、光ディスクドライブ１０９内に光ディスクメディアが挿入されていることを確認してから、光ディスクメディアが印刷可能な状態であるか確認する（ステップＳ３２０）。
【００９２】
システムコントローラ１０４が光ディスクメディアが印刷可能な状態であると判定した場合（ステップＳ３２０のＹｅｓ）、ハードディスクドライブ１１０に保存された印刷データを用いて光ディスクドライブ１０９内の光ディスクメディアのレーベル面に印刷を行う処理を開始する（ステップＳ３２４）。印刷中、図３０に示すように、印刷の進行状況をユーザに知らせるためのウィンドウＷ１８をＥＰＧ画面内に表示させる。
【００９３】
光ディスクメディアのレーベル面への印刷が終了した場合（ステップＳ３２５のＹｅｓ）、システムコントローラ１０４は、光ディスクメディアが載置されているトレイを吐出する（ステップＳ３２６）。なお、前述したように、ここでもトレイを吐出する代わりに、モニタにレーベル面への印刷が終了した旨を表示してよい。
【００９４】
上記実施形態では、ハードディスク内蔵光ディスクレコーダを用いて、光ディスクメディアのレーベル面に印刷を行った。しかし、パソコン３０に接続されたプリンタ３１を用いて光ディスクのレーベル面に印刷を行っても良い。
【００９５】
また、上記実施形態では、デジタル放送で放送された映像番組を録画し、光ディスクメディアに書き込んでいたが、アナログ放送やＣＡＴＶで放送された番組であっても良い。
【００９６】
［５．ＥＰＧ作成処理］
次ぎに、ＥＰＧの作成方法について図３１を参照して説明する。
【００９７】
放送局は、放送局から番組のタイトル、出演者、放映時間等の番組情報、光ディスクメディアのレーベル面に印刷するための印刷データのアドレスを用意する。
【００９８】
ＥＰＧのサービス提供社は、放送局から番組情報および印刷データのアドレスを提供して貰うことによって、番組情報および印刷データを用意する(ステップＳ４０１)。
【００９９】
サービス提供社は、放送局から提供された番組情報および印刷データのアドレスに基づいてＥＰＧ情報を作成する(ステップＳ４０２)。作成されるＥＰＧ情報は、ハードディスク内蔵光ディスク録画装置１００によってテレビ２０にＥＰＧを表示可能な所定のフォーマットに沿って作成されたデータである。
【０１００】
作成されたＥＰＧ情報をＥＰＧサービスサーバ６０に格納する(ステップＳ４０３)。ＥＰＧ情報はハードディスク内蔵光ディスク録画装置１００やパソコン３０がＥＰＧサービスサーバ６０にアクセスすることによって、ダウンロード可能な場所に格納される。
【０１０１】
以上の処理によってＥＰＧ情報を作成し、ＥＰＧサービスサーバ６０に格納することによって、番組の予約や印刷データのダウンロードを行うことが可能になる。
【０１０２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【図面の簡単な説明】
【０１０３】
【図１】本発明の一実施形態に係わる映像番組をデジタル放送するための放送局側のシステムを示す図。
【図２】本発明の一実施形態に係わる受信者側の受信システム、および受信システムに係わるサービスを提供するシステムを示す図。
【図３】本発明の一実施形態に係わるハードディスク内蔵光ディスクレコーダの構成を示す図。
【図４】本発明の一実施形態に係わるＥＰＧを用いてテレビ番組の録画予約を行うときに光ディスクメディアのレーベル面に印刷するための印刷データをダウンロードする手順を示すフローチャート。
【図５】テレビに表示されるＥＰＧを示す図。
【図６】ポインタによって予約を行っている様子を示す図。
【図７】予約を確認するためのウィンドウを示す図。
【図８】ユーザに印刷データをダウンロードしたいか確認するためのウィンドウを示す図。
【図９】ユーザにダウンロードする画像をユーザに選択させるためのウィンドウを示す図。
【図１０】選択されたサムネール画像に対応する印刷データをダウンロードして良いか確認するためのウィンドウを示す図。
【図１１】印刷データのダウンロードの進行状況をユーザに知らせるためのウィンドウを示す図。
【図１２】ハードディスクドライブに録画された録画データを光ディスクドライブに保存する場合の処理を示す図。
【図１３】ハードディスクドライブに録画された録画データを光ディスクドライブに保存する場合の処理を示す図。
【図１４】ハードディスクドライブ１１０に保存されている印刷データを表示すると共に、保存されている印刷データを用いて光ディスクメディアのレーベル面に印刷を行って良いかを確認するためのウィンドウを示す図。
【図１５】ユーザに光ディスクメディアを反転させるためのメッセージが表示されたウィンドウを示す図。
【図１６】印刷の進行状況をユーザに知らせるためのウィンドウを示す図。
【図１７】ユーザが印刷データをダウンロードしたいか確認するためのウィンドウを示す図。
【図１８】ダウンロードする画像をユーザに選択させるためのウィンドウを示す図。
【図１９】選択された画像をダウンロードして良いかユーザに確認するためのウィンドウを示す図。
【図２０】印刷データのダウンロードの進行状況をユーザに知らせるためのウィンドウを示す図。
【図２１】光ディスクメディアへの録画データの書き込み時に印刷を行わずに、光ディスクメディアのレーベル面に印刷を行う場合の処理を示すフローチャート。
【図２２】光ディスクメディアへの録画データの書き込み時に印刷を行わずに、光ディスクメディアのレーベル面に印刷を行う場合の処理を示すフローチャート。
【図２３】ＥＰＧ画面を示す図。
【図２４】ポインタによって印刷データをダウンロードしたい番組を選択している状態を様子を示す図。
【図２５】ダウンロードする画像をユーザに選択させるためウィンドウを示す図。
【図２６】判定されたサムネール画像に対応する印刷データをダウンロードして良いかユーザに確認するためのウィンドウを示す図。
【図２７】印刷データのダウンロードの進行状況をユーザに知らせるためのウィンドウを示す図。
【図２８】ダウンロードされた画像を用いて印刷を行って良いかかユーザに確認するためのウィンドウを示す図。
【図２９】ユーザに光ディスクメディアを反転させるためのメッセージを表示するウィンドウを示す図。
【図３０】印刷の進行状況をユーザに知らせるためのウィンドウを示す図。
【図３１】ＥＰＧデータを作成するための処理の手順を示すフローチャート。
【符号の説明】
【０１０４】
１１…符号化部，１２…多重化部，１３…伝送路符号化部，２０…テレビ，３０…パソコン，３１…プリンタ，４０…ハブ，５０…インターネット回線，６０…ＥＰＧサービスサーバ，６１…印刷データサーバ，７０…アンテナ，１００…ハードディスク内蔵光ディスクレコーダ，１０１…チューナ，１０３…多重信号復号部，１０４…システムコントローラ，１０５…メモリ，１０６…リモコン受信部，１０７…ランインターフェース，１０８…処理部，１０９…光ディスクドライブ，１１０…ハードディスクドライブ，１１１…デコーダ，１２０…リモコン
【図１】
2006351149.tif 000003
【図２】
2006351149.tif 000004
【図３】
2006351149.tif 000005
【図４】
2006351149.tif 000006
【図５】
2006351149.tif 000007
【図６】
2006351149.tif 000008
【図７】
2006351149.tif 000009
【図８】
2006351149.tif 000010
【図９】
2006351149.tif 000011
【図１０】
2006351149.tif 000012
【図１１】
2006351149.tif 000013
【図１２】
2006351149.tif 000014
【図１３】
2006351149.tif 000015
【図１４】
2006351149.tif 000016
【図１５】
2006351149.tif 000017
【図１６】
2006351149.tif 000018
【図１７】
2006351149.tif 000019
【図１８】
2006351149.tif 000020
【図１９】
2006351149.tif 000021
【図２０】
2006351149.tif 000022
【図２１】
2006351149.tif 000023
【図２２】
2006351149.tif 000024
【図２３】
2006351149.tif 000025
【図２４】
2006351149.tif 000026
【図２５】
2006351149.tif 000027
【図２６】
2006351149.tif 000028
【図２７】
2006351149.tif 000029
【図２８】
2006351149.tif 000030
【図２９】
2006351149.tif 000031
【図３０】
2006351149.tif 000032
【図３１】
2006351149.tif 000033